(57)【要約】【課題】ハウジング上面の閉蓋を少し開放する際に支障がなく、しかも多量のプリント用紙を確実且つ安定的に収容することが出来るプリント用紙の受け皿構造を提供するにある。【解決手段】プリント用紙の搬出口を備えたプリント排出部が各種現像処理機を搭載したハウジング上に突出され、ハウジングの上面に開設した作業口には開閉蓋が開閉自由に設けられて成るプリント処理装置に搭載されて、搬出口から搬出されるプリント用紙を受ける受け皿構造であって、受け皿の一端部が排出部における開閉蓋の半開きを許容する位置に枢支されると共に、受け皿の他端部が開閉蓋上に載置されて、受け皿が開閉蓋の開閉動作に連動するようにし、且つ受け皿の受け面が排出部から遠ざかるに従って下方に傾斜している。【選択図】  図４
2005022835.tif 000002
【特許請求の範囲】
【請求項１】
プリント用紙の搬出口を備えたプリント排出部が各種構成機器類を搭載したハウジング上に突出され、ハウジングの上面に開設した作業口には開閉蓋が開閉自由に設けられて成るプリント処理装置に搭載されて、前記搬出口から搬出されるプリント用紙を受ける受け皿構造であって、
受け皿の一端部が前記排出部における前記開閉蓋の半開きを許容する位置に枢支されると共に、受け皿の他端部が開閉蓋上に載置されて、受け皿が開閉蓋の開閉動作に連動するようにしていることを特徴とするプリント処理装置におけるプリント用紙の受け皿構造。
【請求項２】
受け皿の受け面が排出部から遠ざかるに従って下方に傾斜していることを特徴とする請求項１に記載のプリント処理装置におけるプリント用紙の受け皿構造。
【請求項３】
受け皿が取り外し自由であることを特徴とする請求項１または２に記載のプリント処理装置におけるプリント用紙の受け皿構造。
【発明の詳細な説明】
【０００１】
【発明の属する技術分野】
本発明は、プリント処理装置の搬出口に設けられるプリント用紙の受け皿構造に関する。
【０００２】
【従来の技術】
一般に、プリント処理装置には、図８に示すように、プリント処理された小さなサイズのプリント用紙を搬出するための上部搬出口Ａと、同じくプリント処理された大きなサイズのプリント用紙を搬出するための下部搬出口Ｂとが設けられ、現像処理後、乾燥処理装置により乾燥処理されたサービス判などの小さなサイズのプリント用紙は、上部搬出口Ａから搬出コンベアＣ上に搬出される一方、大型のプリント用紙は、下部搬出口Ｂからこの下部搬出口Ｂの外部に設けられた受け皿Ｄ上に搬出されるようにしている。（特許文献１参照）
【０００３】
【特許文献１】
特開平７−５６７１号
【０００４】
【発明が解決しようとする課題】
ところで以上のプリント処理装置の下部搬出口Ｂに設けられる受け皿Ｄは、通常、下部排出口Ｂに連続して設けられ、その遊端側は宙吊り状態となっていることから、この受け皿Ｄに例えば数百枚単位の多量のプリント用紙を収容することは、構造的に困難である。
【０００５】
以上の不具合は、例えば受け皿Ｄを下部搬出口Ｂから離してハウジングの上面に直接設置することで解消することが出来るが、受け皿Ｄをハウジング上に直接設置すると次の不具合が生じる。
【０００６】
即ち、通常のハウジングの上面には、ハウジング内の例えば現像処理機のメンテナンスを行なうための作業口Ｅが設けられ、この作業口Ｅには開閉蓋Ｆが開閉自由に設けられており、この開閉蓋Ｆは、ハウジング内に搭載されている現像処理機のメンテナンス時に全開する一方、日々の運転終了後、現像処理機構の処理槽から発生するガスを外部に抜くために少し開けるようにしている。
【０００７】
そのため前記したように、受け皿Ｄをハウジング上に直接設置すると、開閉蓋Ｆを少し開けたくても、受け皿Ｄが障害となって、開閉蓋Ｆの開閉が行ない難くなる問題がある。
【０００８】
また受け皿Ｄが搬出口Ｂから下方に大きく離れて設置されると、搬出口Ｂから搬出されるプリント用紙が受け皿上に落下し、その際、プリント用紙がひっくり返る不具合も生じる。
【０００９】
本願発明は以上の実情に鑑みて開発したものであって、目的とするところは、ハウジング上面の開閉蓋を少し開放する際に支障がなく、しかも多量のプリント用紙を確実且つ安定的に収容することが出来るプリント用紙の受け皿構造を提供するにある。
【００１０】
【課題を解決するための手段】
以上の目的を達成すべく、請求項１に記載の発明は、プリント用紙の搬出口を備えたプリント排出部が各種構成機器類を搭載したハウジング上に突出され、ハウジングの上面に開設した作業口には開閉蓋が開閉自由に設けられて成るプリント処理装置に搭載されて、前記搬出口から搬出されるプリント用紙を受ける受け皿構造であって、受け皿の一端部が前記排出部における前記開閉蓋の半開きを許容する位置に枢支されると共に、受け皿の他端部が開閉蓋上に載置されて、受け皿が開閉蓋の開閉動作に連動するようにしたことを特徴とするものである。
【００１１】
請求項２に記載の発明は、請求項１に記載の受け皿の受け面が排出部から遠ざかるに従って下方に傾斜していることを特徴とするものである。
【００１２】
請求項３に記載の発明は、請求項１または２に記載の受け皿が取り外し自由であることを特徴とするものである。
【００１３】
【発明の実施の形態】
図１及び図２は、本発明にかかる受け皿構造が備えられたプリント処理装置の一例を概略的に示したものであって、このプリント処理装置は、基本的には、プリント用紙の一例である印画紙Ｐに画像をプリント処理するための写真処理部１と、写真処理部１で仕上がったプリントを仕分けるための仕分け部５とが備えられている。
【００１４】
写真処理部１は、現像済フィルムをセットするためのフィルムマスクユニット２１、このフィルムマスクユニット２１にセットされた現像済フィルムのコマ画像を読み取るためのスキャナ２２、各種記録メディアに記録した画像データを読み取るための読み取り装置２３、スキャナ２２または読み取り装置２３で読み取った画像データに主として各種の画像処理を施すための画像処理部２４を搭載した画像処理機２と、
画像処理機２で処理された画像データにより、プリント用紙の一例である印画紙Ｐに画像を焼き付けるためのプリンター３と、
プリンター３で画像が焼き付けられた印画紙を現像するためのプロセッサ４とから構成されている。
【００１５】
画像処理機２に搭載されているスキャナ２２は、現像済フィルムをフィルムマスクユニット２１にセットすることにより、光源ユニットからの光を、フィルムマスクユニット２１にセットされた現像済フィルムに照射して各コマの画像を順次読み取って画像処理部２４に出力し、また画像処理部２４では、スキャナ２２または読み取り装置２３で読み取られた画像データに各種画像処理を施すようにしている。
【００１６】
画像処理部２４は、画像処理ソフトウエア等がインストールされたコンピュータから成るメインコントローラ２５と、メインコントローラ２５に各種情報を入力するためのキーボード２６と、各種情報を表示するためのモニター２７とから構成されている。
【００１７】
そしてスキャナ２２若しくは読み取り装置２３により読み取られた画像データは、所定の処理プログラムとキーボード２６ａまたはマウス２６ｂにより入力されるプリントサイズなどの各種情報に基づいてメインコントローラ２５により適宜処理された後、順次プリントデータとしてプリンター３に搭載したサブコントローラ３０に出力するようにしている。
【００１８】
プリンター３は、画像処理機２の画像処理部２４で作成されたプリントデータを印画紙Ｐに焼き付けるためのものであり、画像処理部２４から出力されたプリントデータなどを入力するためのサブコントローラ３０と、ペーパーマガジンから送り出される印画紙Ｐを搬送するための搬送機構（図示せず）と、この搬送機構で搬送される印画紙Ｐに画像データを露光するための露光機構（図示せず）とが搭載されている。
【００１９】
そしてプリンター３では、メインコントローラ２５から出力されるプリントデータがサブコントローラ３０に入力されるに伴い、このサブコントローラ３０で入力されるプリントデータに基づいて露光用データが生成されて、露光機構に出力されるようにしている。
【００２０】
プロセッサ４は、既知構造のものであって、プリンター３で画像が焼き付け処理された印画紙Ｐを現像処理するための現像処理機構（図示せず）と、この現像処理機構で現像処理された印画紙を乾燥するための乾燥処理機構（図示せず）と、乾燥処理された印画紙Ｐを仕分け部５に向けて搬送するための搬出機構４１とが備えられている。
【００２１】
以上のプリンター３とプロセッサ４は並べて用いるのであって、図１にも示すように、プリンター３のハウジング３００における上面３０１は、プロセッサー４のハウジング４００における上面４０１よりも一段高くなっている。
【００２２】
またプロセッサ４のハウジング４００の上面４０１には、メンテナンス用の作業口４０２が開口し、この作業口４０２には開閉蓋４０３が開閉自由に設けられている。
【００２３】
この開閉蓋４０３は、ハウジング４００内に搭載されている構成機器のメンテナンス時に全開する一方、日々の運転終了後、現像処理機構の処理槽から発生するガスをハウジング４００の外部に抜くために少し開けるようにしている。
【００２４】
搬出機構４１は、図４にも示すように、
プリント搬出方向切換え装置４２と、
このプリント搬出方向切換え装置４２の下流側に位置する上下２つの搬出口４３・４４と、
乾燥処理機構で乾燥処理された印画紙紙Ｐを上部搬出口４３から搬出するための第１搬出装置４５と、
上部搬出口４３から搬出された印画紙Ｐを、第１搬出装置４５による搬出方向とはほぼ直交する方向に搬出するための搬出コンベヤ４６と、
乾燥処理機構で乾燥処理された印画紙紙Ｐを下部搬出口４４から搬出するための第２搬出装置４７とが備えられている。
【００２５】
以上の搬出機構４１は、サービスサイズなどの小型の印画紙Ｐが第１搬出装置４５により上部搬出口４３から搬出コンベヤ４６上に搬出され、この搬出コンベヤ４６を介して仕分け部５の収容皿５１に向けて搬出されるようにしており、また下部搬出口４４からは、幅が６インチ以上若しくは搬出方向長さが１２インチ以上の大きなサイズの印画紙Ｐが第２搬出装置４７により後記する受け皿６に搬出されるようにしている。
【００２６】
尚、第１、第２搬出装置４５・４７は、複数の搬送ローラ対から構成されている。
【００２７】
また仕分け部５は、図２にも示すように、多数の収容皿５１が備えられ、例えば１オーダー分プリントされた印画紙Ｐが最上部に位置する収容皿５１に搬送された段階で、その収容皿５１を駆動機構（図示せず）を介して下方に移送すると共に、続いて搬送されて来る印画紙Ｐを次の収容皿５１に収容するようにしている。
【００２８】
次に下部搬出口４４の外部に設けられる受け皿６を詳説する。
【００２９】
図に示す実施形態では、受け皿６は、大判受け皿７と多数枚の印画紙Ｐを収容可能とする多量集積受け皿８とを選択的に下部搬出口４４の外方に取り付け可能とし、多量集積受け皿８に本発明を適用している。
【００３０】
大判受け皿７は、基本的には、下部搬出口４４に取り付けられた大判受け皿用ブラケット７０にその一端部が支持されるメイントレイ７ａと、このメイントレイ７ａの遊端部に連結されるサブトレイ７ｂとから構成されている。
【００３１】
そしてメイントレイ７ａの長さ方向一端部には支持軸７１が一体形成され、この支持軸７１を大判受け皿用ブラケット７０に係止すると共に、メイントレイ７ａの長さ方向一端部を大判受け皿用ブラケット７０にねじ止めすることで、メイントレイ７ａの長さ方向一端部が大判受け皿用ブラケット７０に支持されるようにしているのであって、メイントレイ７ａの長さ方向他端部には、搬出コンベヤ４６のハウジング４６ａから延びるステー７２が連結するようにしている。
【００３２】
またメイントレイ７ａの長さ方向他端部には、サブトレイ７ｂの長さ方向一端部を連結するための連結支持部７３が設けられている。
【００３３】
サブトレイ７ｂは、その長さ方向一端部が連結支持部７３内に挿入可能であって、また長さ方向他端部には、金属線材から形成した支持脚７４がサブトレイ７ｂの下面に対して折り畳み可能に取り付けられている。
【００３４】
そして支持脚７４の下端部は、ハウジング４００の上面４０１に設けられた嵌合溝４０４内に嵌合可能であって、支持脚７４をサブトレイ７ｂに対して起立させて、その下端部を嵌合溝４０４内に嵌合させた時には、図７に示すように、サブトレイ７ｂの遊端部が、一段高いハウジング３００の上面３０１近くにおいてその上面３０１よりも若干高い位置に来るようにして、下部搬出口４４から搬出されるプリント用紙Ｐの搬出方向前端側が、一段高いハウジング３００の上面３０１上に載置可能としている。
【００３５】
また以上のサブトレイ７ｂは、不使用時、搬出コンベヤ４６におけるハウジング４６ａの下面に設けた格納部４６ｂ内に格納するようにしている。
【００３６】
一方、本発明が適用される多量集積受け皿８は、搬出方向長さが１８インチまでの長さの印画紙Ｐを最大３００枚集積可能とするものであって、図４にも示すように、細長いプレート状のトレイ本体８１と、トレイ本体８１に取り付けられて、トレイ本体８１上に搬出される印画紙Ｐの搬出方向前端を受け止めるストッパ８２とから構成されている。
【００３７】
ストッパ８２は、トレイ本体８１に搬出される印画紙の大きさに応じて、その取り付け位置を変更可能としているのであって、即ちトレイ本体８１の両端部には、図２に示すように、スリット状の嵌合孔８３が複数形成され、ストッパ８２の下端部には、図４に示すように、嵌合孔８３に嵌合可能な嵌合片８４が設けられ、嵌合片８４が嵌合する嵌合孔８３の選択により、トレイ本体８１に搬出される印画紙Ｐの大きさに応じて、トレイ本体８１に対するストッパ８２の取り付け位置を変更するようにしている。
【００３８】
またトレイ本体８１の長さ方向一端部は、多量集積受け皿用ブラケット８０に設けられた枢軸８０ｂに引掛け可能なブラケット８５が設けられて、ブラケット８５を枢軸８０ｂに引っ掛けることで、トレイ本体８１の長さ方向一端部が、多量集積受け皿用ブラケット８０に枢支されて、その長さ方向他端側が上下方向に揺動自由とされているのであって、多量集積受け皿用ブラケット８０に対するトレイ本体８１の枢支位置は、図５に示すように、ガス抜き時における開閉蓋４０３の開放に支障のない高さに設定されている。
【００３９】
またトレイ本体８１の長さ方向他端部には合成ゴム製の脚体８６が設けられ、図４に示すように、トレイ本体８１の脚体８６を開閉蓋４０３上に載せるに伴い、トレイ本体８１が、その長さ方向一端部から他端部に向かって斜め下方に傾斜するようにして、下部搬出口４４からトレイ本体８１上に搬出される印画紙Ｐがトレイ本体８１上において搬出方向前方に滑り易くしている。
【００４０】
また多量集積受け皿用ブラケット８０には、下部搬出口４４から搬出されるプリント用紙Ｐの搬出方向後端部をトレイ本体８１に案内するためのガイド体８０ａが取り付けられている。
【００４１】
以上の構成からなるプリント処理装置により、多量の大判の印画紙Ｐをプリント処理する場合には、まず下部搬出口４４に多量集積受け皿用ブラケット８０を取り付けて、このブラケット８０の枢軸８０ｂにトレイ本体８１のブラケット８５を引っ掛けることで、多量集積受け皿８の一端部を多量集積受け皿用ブラケット８０に枢支すると共に、他端部を開閉蓋４０３上に載せる。
【００４２】
これにより、大量集積受け皿８は、図４に示すように、斜め下方に傾斜した状態でハウジング４００上にセットされる。
【００４３】
そして、以上のごとく大量集積受け皿８をハウジング４００上にセットした状態で多量のプリント処理を行なうのであって、プリンター３で露光焼き付け処理が行なわれた多量の大判の印画紙Ｐは、プロセッサ４の現像処理機構で現像処理が行なわれて、乾燥処理機構で乾燥された後、搬出機構４１の第２搬出装置４７を介して下部搬出口４４から多量集積受け皿８に順次搬出される。
【００４４】
この時、下部搬出口４４から順次搬出される印画紙Ｐの後端が、多量集積受け皿用ブラケット８０のガイド体８０ａにより案内されて、印画紙Ｐ全体がトレイ本体８１上に送出されるのであり、しかもトレイ本体８１上に搬出される印画紙Ｐは、搬出方向前方に向かって斜め下方に傾斜しているトレイ本体８１上を滑って、その搬出方向前端がストッパ８２で受け止められるのである。
【００４５】
従って、トレイ本体８１上に搬出される多数の印画紙Ｐは、その前端が揃えられた状態となる。
【００４６】
また以上の多量集積受け皿８は、その長さ方向一端部が開閉蓋４０３上に直接載せられて、受け皿と搬出コンベヤ４８との間に充分な空間が空いているので、この受け皿８上に多数の枚数の印画紙Ｐを重ねることが出来る。
【００４７】
ところで、この多量集積受け皿８を下部搬出口４４に設けている場合において、日々の運転終了後、現像処理機構の処理槽から発生するガスをハウジング４００の外部に抜くために開閉蓋４０３を少し開けるに伴い、図５に示すように、多量集積受け皿８も開閉蓋４０３と共に持ち上がり、多量集積受け皿８が開閉蓋４０３の前記開放に支障を及ぼすことがない。
【００４８】
なお、ハウジング４００内の機器類を保守点検すべく、開閉蓋４０３を全開するに際しては、多量集積受け皿８を下部搬出口４４から取り外して行う。
【００４９】
一方、下部搬出口４４から搬出される搬出方向長さが大判受け皿７の全長よりも長い例えば３６インチの印画紙Ｐにプリント処理を行う場合には、まず下部搬出口４４に大判受け皿用ブラケット７０を取り付け、この大判受け皿用ブラケット７０にメイントレイ７ａの支持軸７１を係止すると共に、メイントレイ７ａの長さ方向一端部を大判受け皿用ブラケット７０にねじ止めして、メイントレイ７ａの長さ方向一端部を大判受け皿用ブラケット７０に支持し、更に搬出コンベヤ４６のハウジング４６ａから延びるステー７２の下端部をメイントレイ７ａの長さ方向他端部にボルト止めする。
【００５０】
続いて、サブトレイ７ｂの長さ方向一端部を連結支持部７３内に挿入すると共に、支持脚７４をサブトレイ７ｂの下面に対して起立させて、その下端部をハウジング４００の嵌合溝４０４内に嵌合させ、図７に示すように、サブトレイ７ｂの遊端部を、一段高いハウジング３００の上面３０１近くにおいてその上面３０１よりも若干高い位置に来るように配置する。
【００５１】
そして、以上のごとく大判受け皿７をセットした状態でプリント処理を行なうのであって、プリンター３で露光焼き付け処理が行なわれた大判の印画紙Ｐは、プロセッサ４の現像処理機構で現像処理が行なわれて、乾燥処理機構で乾燥された後、搬出機構４１の第２搬出装置４７を介して下部搬出口４４から大判受け皿７に搬出されるのである。
【００５２】
この時、印画紙Ｐは、図７に示すように、メイントレイ７ａ上からサブトレイ７ｂ上に載ると共に、その搬出方向前端部は一段高いハウジング３００の上面３０１に確実に載るので、印画紙Ｐの搬出方向前方側が下方に垂れ下がって変形してしまうような不具合はない。
【００５３】
ところでサブトレイ７ｂを使用しない時には、このサブトレイ７ｂをメイントレイ７ａから取り外して、支持脚７４をサブトレイ７ｂに対して折り畳んだ上で、搬出コンベヤ４６におけるハウジング４６ａの格納部４６ｂ内に格納すればよい。
【００５４】
尚、サービスサイズなどの小さな印画紙Ｐは、搬出機構４１の第１搬出装置４５を介して上部搬出口４３から搬出コンベヤ４６上に搬出されると共に、搬出コンベヤ４６により仕分け部５に向けて搬出される。
【００５５】
以上の実施形態では、プリント用紙として印画紙を用いたプリント処理装置に本発明を適用したが、これに限定されるものではなく、印画紙以外のプリント用紙を用いたプリント処理装置に本発明を適用してもよい。
【００５６】
【発明の効果】
以上説明したように、請求項１に記載の発明によれば、搬出部の搬出口から搬出されるプリント用紙を受ける受け皿の一端部が、排出部における開閉蓋の半開きを許容する位置に枢支されると共に、受け皿の他端部が開閉蓋上に載置されて、受け皿が開閉蓋の開閉動作に連動するようにしたことにより、多量のプリント用紙を受け皿に確実且つ安定的に収容することが出来ながら、しかも開閉蓋を開いてハウジング上面の作業口を少し開放する際、開閉蓋上に載っている受け皿が開閉蓋の開閉動作の支障となることがなく、開閉蓋をスムーズに開放することが出来る。
【００５７】
請求項２に記載の発明によれば、請求項１に記載の受け皿の受け面が排出部から遠ざかるに従って下方に傾斜していることにより、請求項１に記載の発明の効果に加え、搬出口から受け皿に搬出されるプリント用紙を受け皿上で滑らせて、揃えることが出来る。
【００５８】
請求項３に記載の発明によれば、請求項１または２に記載の受け皿が取り外し自由であることにより、請求項１または２に記載の発明の効果に加え、受け皿を使用しない場合には、取り外して保管場所に容易に格納することが出来る。
【図面の簡単な説明】
【図１】本発明にかかる受け皿構造が搭載されたプリント処理装置の概略説明図。
【図２】多量集積皿が搭載されたプリント処理装置の斜視図。
【図３】多量集積受け皿が搭載されたプリント処理装置において搬出コンベヤを省略して示す斜視図。
【図４】多量集積受け皿が搭載されたプリント処理装置の要部の説明図。
【図５】多量集積受け皿が搭載されたプリント処理装置において開閉蓋を少し開放した状態を示す要部の説明図。
【図６】大判受け皿が搭載されたプリント処理装置において搬出コンベヤを省略して示す斜視図。
【図７】大判受け皿が搭載されたプリント処理装置の要部の説明図。
【図８】従来の受け皿構造が搭載されたプリント処理装置の要部の説明図。
【符号の説明】
３      プリンタ−
４      プロセッサ
４００  ハウジング
４０１  上面
４４    下部搬出口
６      受け皿
８      多量集積受け皿
８１    トレイ本体
８２    ストッパ
Ｐ      印画紙（プリント用紙）
【図１】
2005022835.tif 000003
【図２】
2005022835.tif 000004
【図３】
2005022835.tif 000005
【図４】
2005022835.tif 000006
【図５】
2005022835.tif 000007
【図６】
2005022835.tif 000008
【図７】
2005022835.tif 000009
【図８】
2005022835.tif 000010